(57)【要約】【課題】  本発明は、タッチアンドゴー方式の二輪車用自動料金収受システム（ＥＴＣ）の非接触式カード処理機と無線交信して料金所処理を行う非接触式カードを衣服又はリストバンドに着脱可能に装着したので、料金所を入出する際に非接触式カードを衣服に装着したまま料金所処理を行うことができ、また非接触式カードを取出して手に持たなければならないという煩わしさを取除くことができ、さらに非接触式カードの紛失を防止することができ、また非接触式カードを衣服又はリストバンドから容易に着脱することができる利便性の高い非接触式カードを装着した衣服又はリストバンドを提供する。【解決手段】  非接触式カード装着部１３を備えて非接触式カード４０を装着した衣服、又は非接触式カード装着部１６を備えて非接触式カード４０を装着したリストバンド。【選択図】        図１
2005200813.tif 000002
【特許請求の範囲】
【請求項１】
非接触式カード処理機と、無線通信機能を有するＩＣ（Ｉｎｔｅｇｒａｔｅｄ  Ｃｉｒｃｕｉｔ）カードを備えた非接触式カードとからなるタッチアンドゴー方式の二輪車用自動料金収受システム（ＥＴＣ）において、
前記非接触式カードを衣服に着脱可能にしたことを特徴とする非接触式カードを装着可能にした衣服。
【請求項２】
前記非接触式カードを前記衣服の上着に装着可能にしたことを特徴とする請求項１に記載の非接触式カードを装着可能にした衣服。
【請求項３】
前記非接触式カードを前記衣服の上着右前腕部に装着可能にしたことを特徴とする請求項１に記載の非接触式カードを装着可能にした衣服。
【請求項４】
非接触式カード処理機と、無線通信機能を有するＩＣ（Ｉｎｔｅｇｒａｔｅｄ  Ｃｉｒｃｕｉｔ）カードを備えた非接触式カードとからなるタッチアンドゴー方式の二輪車用自動料金収受システム（ＥＴＣ）において、
前記非接触式カードをリストバンドに着脱可能にしたことを特徴とする非接触式カードを装着可能にしたリストバンド。
【発明の詳細な説明】
【発明の詳細な説明】
【技術分野】
【０００１】  本発明は、タッチアンドゴー方式の二輪車用自動料金収受システム（ＥＴＣ）に係り、特に料金所を入出する際に非接触式カードを衣服又はリストバンドに装着したまま料金処理を行うので、非接触式カードを取出して手に持たなければならないという煩わしさがなく、また非接触式カードの紛失を防止することのできる非接触式カードを装着可能にした衣服又はリストバンドに関する。
【背景技術】
【０００２】  既に、自動二輪車で自動料金収受システム（ＥＴＣ）を利用する為に、ヘルメット本体に無線装置とアンテナとを備えて料金所にて路側機と無線通信を行う無線装置内蔵ヘルメットが提案されている。
また、自動二輪車で自動料金収受システム（ＥＴＣ）を利用する為に、自動二輪車本体に無線装置とアンテナとを備えて料金所にて路側機と無線通信を行う自動料金収受車載装置が提案されている。【０００３】  この様にすることによって、自動二輪車のライダーが料金所で通行券や現金等の受け渡しを行わずにノンストップで通過することができるという。
【発明が解決しようとする課題】
【０００４】  しかしながら、従来の自動二輪車用自動料金収受システム（ＥＴＣ）は、ヘルメット本体、または自動二輪車本体に無線機本体とアンテナとを取付ける為の改造が必要となり、且つ取付けるスペースの確保も難しいという課題がある。
【０００５】  また、ヘルメット本体、または自動二輪車本体に無線機本体とアンテナとを取付け、料金所にて路側機と無線通信を行う従来の二輪車用自動料金収受システム（ＥＴＣ）は、ライダーが確実に料金処理がなされたか否かを確認することがし難く、煩わしさを伴うことがあるという課題がある。
【０００６】  本発明は、上記した課題を解決するためになされたものであって、ヘルメット本体または自動二輪車本体等を改造せずに、料金所を入出する際に必要とする非接触式カードを衣服又はリストバンドに装着し、衣服又はリストバンドに装着した状態で非接触式カードをタッチアンドゴー方式の二輪車用自動料金収受システム（ＥＴＣ）の非接触式カード処理機のアンテナ部にかざすか、または当接させて確実に料金処理を行うことのできるタッチアンドゴー方式の自動二輪車用自動料金収受システム（ＥＴＣ）に適用できる非接触式カードを装着可能にした衣服又はリストバンドを提供することにある。
【課題を解決するための手段】
【０００７】  上記課題を解決するために本発明に係る非接触式カードを装着可能にした衣服は、タッチアンドゴー方式の二輪車用自動料金収受システム（ＥＴＣ）の非接触式カード処理機と無線交信して料金処理を行う非接触式カードの着脱可能な装着手段を衣服に備えたことを特徴とする。
【０００８】  本発明に係る非接触式カードを装着可能にした衣服は、タッチアンドゴー方式の二輪車用自動料金収受システム（ＥＴＣ）の非接触式カード処理機と無線交信して料金処理を行う非接触式カードの着脱可能な装着手段を衣服に備えたので、ヘルメット本体または自動二輪車本体等を改造せずに、料金所を入出する際に非接触式カードを衣服に装着したまま料金処理を行うことができ、さらに非接触式カードを衣服から容易に着脱することができる。
【０００９】  また、本発明に係る非接触式カードを装着可能にした衣服は、タッチアンドゴー方式の二輪車用自動料金収受システム（ＥＴＣ）の非接触式カード処理機と無線交信して料金処理を行う非接触式カードの着脱可能な装着手段を衣服の上着に備えたことを特徴とする。
【００１０】  本発明に係る非接触式カードを装着可能にした衣服は、タッチアンドゴー方式の二輪車用自動料金収受システム（ＥＴＣ）の非接触式カード処理機と無線交信して料金処理を行う非接触式カードの着脱可能な装着手段を衣服の上着に備えたので、ヘルメット本体または自動二輪車本体等を改造せずに、料金所を入出する際に非接触式カードを衣服の上着に装着したまま料金処理を行うことができ、さらに非接触式カードを衣服の上着から容易に着脱することができる。
【００１１】  さらに、本発明に係る非接触式カードを装着可能にした衣服は、非接触式カードの着脱可能な装着手段を衣服の上着右前腕部に備えたことを特徴とする。
【００１２】  本発明に係る非接触式カードを装着可能にした衣服は、非接触式カードの着脱可能な装着手段を上着右前腕部に備えたので、料金所を入出する際に非接触式カードを衣服の上着右前腕部に装着したまま非接触式カードをタッチアンドゴー方式の二輪車用自動料金収受システム（ＥＴＣ）の非接触式カード処理機のアンテナ部に容易にかざすことができ、または容易に当接させることができるので、より確実に料金処理を行うことができる。
【００１３】  また、本発明に係る非接触式カードを装着可能にしたリストバンドは、タッチアンドゴー方式の二輪車用自動料金収受システム（ＥＴＣ）の非接触式カード処理機と無線交信して料金処理を行う非接触式カードの着脱可能な装着手段をリストバンドに備えたことを特徴とする。
【００１４】  本発明に係る非接触式カードを装着可能にしたリストバンドは、料金所を入出する際に非接触式カードの着脱可能な装着手段をリストバンドに備えたので、非接触式カードをリストバンドに装着したまま非接触式カードをタッチアンドゴー方式の二輪車用自動料金収受システム（ＥＴＣ）の非接触式カード処理機のアンテナ部に容易にかざすことができ、または容易に当接させることができるので，より確実に料金処理を行うことができる。
【発明を実施するための最良の形態】
【００１５】  本発明の実施の形態を添付図面に基づいて以下に説明する。
図１は本発明に係る非接触式カードを装着可能にした衣服（上着右前腕部）とリストバンドの実施形態の模式図である。
図１において、非接触式カードを装着可能にした衣服（上着）１１は上着右前腕部１２に非接触式カード装着部（装着手段）１３を備え、非接触式カードを装着可能にしたリストバンド１５は非接触式カード装着部（装着手段）１６を備える。【００１６】  非接触式カードを装着可能にした衣服（上着）１１の非接触式カード装着部１３は上着右前腕部１２の内側、または外側に設けたポケットであり、非接触式カード装着部上部１３に非接触式カード４０（図３参照）の挿入口を設け、非接触式カード装着部１３に非接触式カード４０を収納する。
また非接触式カード装着部上部１４の挿入口には、非接触式カード４０が抜け落ちることがなく、且つ開閉自在な構造（図示しない）になっている。
上着右前腕部１２に設けた非接触式カード装着部１３は、ライダーの右手首部の内側、或いは甲部、または小指側の側面部にあってもよい。【００１７】  非接触式カードを装着可能にしたリストバンド１５はリストバンド本体に設けたポケットであり、非接触式カード装着部上部１７に非接触式カード４０（図３参照）の挿入口を設け、非接触式カード装着部１６に非接触式カード４０を収納する。
また非接触式カード装着部上部１７の挿入口には、非接触式カード４０が抜け落ちることがなく、且つ開閉自在な構造（図示しない）になっている。【００１８】  図２は本発明に係る非接触式カードを装着可能にした衣服とタッチアンドゴー方式の二輪車用自動料金収受システム（ＥＴＣ）の非接触式カード処理機の実施形態の概略構成図である。
図２において、非接触式カード４０（図３参照）を装着可能にした衣服を着た自動二輪車２２のライダー２１は、二輪車用自動料金収受システム（ＥＴＣ）の料金所で、非接触式カード４０（図３参照）を収納した上着右前腕部１２の非接触式カード装着部１３をタッチアンドゴー方式の二輪車用自動料金収受システム（ＥＴＣ）の非接触式カード処理機３０のアンテナ部３１に当接させるタッチアンドゴー方式で料金所を通過する。【００１９】  この様に、非接触式カードを装着可能にした衣服は非接触式カードを上着右前腕部に装着可能にしたので、料金所を入出する際に非接触式カードを衣服に装着したまま非接触式カードをタッチアンドゴー方式の二輪車用自動料金収受システム（ＥＴＣ）の非接触式カード処理機のアンテナ部にかざすか、または非接触式カードをタッチアンドゴー方式の二輪車用自動料金収受システム（ＥＴＣ）の非接触式カード処理機のアンテナ部に当接させるタッチアンドゴー方式で料金処理を行うことができ、料金所を入出する際に非接触式カードを衣服に装着したまま料金処理を行うことができ、また非接触式カードを取出して手に持たなければならないという煩わしさを取除くことができ、さらに非接触式カードの紛失を防止することができる。
非接触式カードを装着可能にしたリストバンドにおいても同様な効果を有する。【００２０】  図３は非接触式カードとタッチアンドゴー方式の二輪車用自動料金収受システム（ＥＴＣ）の非接触式カード処理機の実施形態の動作説明図である。
図３において、タッチアンドゴー方式の二輪車用自動料金収受システム（ＥＴＣ）の非接触式カード処理機３０はアンテナ３２と、送受信手段３３と、制御手段３４とからなる。
また図３において、非接触式カード４０は電源生成手段４１と、アンテナ４２と、受信手段４３と、送信手段４４と、記憶手段４５と、制御手段４６とからなる。【００２１】  タッチアンドゴー方式の二輪車用自動料金収受システム（ＥＴＣ）の非接触式カード処理機３０の制御手段３４は、マイクロコンピュータを備え、タッチアンドゴー方式の二輪車用自動料金収受システム（ＥＴＣ）の非接触式カード処理機３０の動作を制御する。
送受信手段３３はアンテナ３２を介して非接触式カード４０と電波によるデータの交信をし、制御手段３４は交信したデータに基づいて料金処理をする。【００２２】  非接触式カード４０の電源生成手段４１はタッチアンドゴー方式の二輪車用自動料金収受システム（ＥＴＣ）の非接触式カード処理機３０からの電波を受けて非接触式カード４０を駆動する電源を生成する。
アンテナ４２は非接触式カード４０とタッチアンドゴー方式の二輪車用自動料金収受システム（ＥＴＣ）の非接触式カード処理機３０との電波の送受信をする。
受信手段４３はアンテナ４２で受信した電波から信号を復調して記憶手段４５に出力し、記憶手段４５は入力された信号を記憶する。【００２３】  制御手段４６はＩＣ（Ｉｎｔｅｇｒａｔｅｄ  Ｃｉｒｃｕｉｔ）を備え、非接触式カード４０を制御する。
制御手段４６は受信した信号を記憶手段４５から読み出し、読み出したデータに基づいて料金処理を行う為に必要とするデータを生成して送信手段４４に出力する。
送信手段４４は入力されたデータを変調してアンテナ４２からタッチアンドゴー方式の二輪車用自動料金収受システム（ＥＴＣ）の非接触式カード処理機３０に送信する。
この様に、非接触式カードとタッチアンドゴー方式の二輪車用自動料金収受システム（ＥＴＣ）の非接触式カード処理機とで電波により信号の送受信をして料金処理を行う。【００２４】  なお、上記実施形態は本発明の一例であり、本発明は上記実施形態に限定されるものではない。
【発明の効果】
【００２５】  本発明に係る非接触式カードを装着可能にした衣服又はリストバンドは、タッチアンドゴー方式の二輪車用自動料金収受システム（ＥＴＣ）の非接触式カード処理機と無線交信して料金処理を行う非接触式カードを衣服又はリストバンドに装着可能にしたので、料金所を入出する際に非接触式カードを衣服に装着したまま、或いは非接触式カードをリストバンドに装着したまま料金処理を行うことができ、また非接触式カードを取出して手に持たなければならないという煩わしさを取除くことができ、さらに非接触式カードの紛失を防止することができ、また非接触式カードを衣服、或いはリストバンドから容易に着脱することができるという効果が得られる。
【００２６】  また、本発明に係る非接触式カードを装着可能にした衣服又はリストバンドは、非接触式カードを上着右前腕部又はリストバンドに装着可能にしたので、料金所を入出する際に非接触式カードを衣服に装着したまま、或いは非接触式カードをリストバンドに装着したまま非接触式カードをタッチアンドゴー方式の二輪車用自動料金収受システム（ＥＴＣ）の非接触式カード処理機のアンテナ部にかざすか、または非接触式カードをタッチアンドゴー方式の二輪車用自動料金収受システム（ＥＴＣ）の非接触式カード処理機のアンテナ部に当接させるタッチアンドゴー方式で料金処理を行うことができ、料金所を入出する際に非接触式カードを衣服又はリストバンドに装着したまま料金処理を行うことができ、また非接触式カードを取出して手に持たなければならないという煩わしさを取除くことができ、さらに非接触式カードの紛失を防止することができるという効果が得られる。
【００２７】  よって、本発明は、利便性の高い非接触式カードを装着可能にした衣服又はリストバンドを提供することができる。
【図面の簡単な説明】
【図１】  本発明に係る非接触式カードを装着可能にした衣服（上着右前腕部）又はリストバンドの実施形態の模式図
【図２】  本発明に係る非接触式カードを装着可能にした衣服（上着右前腕部）とタッチアンドゴー方式の二輪車用自動料金収受システム（ＥＴＣ）の非接触式カード処理機の実施形態の概略構成図
【図３】  非接触式カードとタッチアンドゴー方式の二輪車用自動料金収受システム（ＥＴＣ）の非接触式カード処理機の実施形態の動作説明図
【符号の説明】
１０…非接触式カードを装着可能にした衣服、１１…上着、１２…上着右前腕部、１３…非接触式カード装着部、１４…非接触式カード装着部上部、１５…非接触式カードを装着可能にしたリストバンド、１６…非接触式カード装着部、１７…非接触式カード装着部上部、２１…ライダー、２２…自動二輪車、３０…非接触式カード処理機、３１…アンテナ部、３２，４２…アンテナ、３３…送受信手段、３４…制御手段、４０…非接触式カード、４１…電源生成手段、４３…受信手段、４４…送信手段、４５…記憶手段、４６…制御手段。
【図１】
2005200813.tif 000003
【図２】
2005200813.tif 000004
【図３】
2005200813.tif 000005